(57)【要約】【課題】  簡単な構成であってコストダウンに寄与する表示板の保持枠を提供する。【解決手段】  四角形状の台板１と、この台板の各辺に対応しかつ台板の前面の周囲を覆う押え片２と、各押え片と上記台板とを接続する折り曲げ可能である連結シート３と、台板１に設けている円板状の磁石４及び押え片に設けてある円板状の磁性部材５とからなり、各押え片２は連結シート３を中心として起伏して台板の前面に配置される表示板を台板との間で磁石と磁性部材との吸着力を介して挟みかつ保持し又は保持を解除する。【選択図】        図１
0003121928.tif 000002
【実用新案登録請求の範囲】
【請求項１】
四角形状の台板と、この台板の各辺に対応しかつ台板の前面の周囲を覆う押え片と、各押え片と上記台板とを接続する折り曲げ可能である連結シートと、上記台板と押え片のいずれか一方に設けている磁石及び他方に設けてある磁性部材とを備えており、
上記各押え片は上記連結シートを中心として起伏することができると共に、上記台板の前面に配置される表示板を上記台板との間で挟みかつ保持することができるものであり、
上記磁石は、上記磁性部材との吸着力を介して上記各押え片に上記表示板に対する保持力を付与するものである
ことを特徴とする表示板の保持枠。
【請求項２】
磁石は磁石片からなり、磁性部材は上記磁石に対向して配置されている磁性部材片からなることを特徴とする請求項１記載の表示板の保持枠。
【請求項３】
台板は後台板部とこの後台板部の前面に重ねて配置した前台板部とからなり、押え片は本体とこの本体の前面に重ねて配置した飾り片とからなることを特徴とする請求項１又は請求項２記載の表示板の保持枠。
【請求項４】
磁石及び磁性部材は、いずれか一方が後台板部と前台板部との間に、他方が押え片の本体と飾り片との間に、それぞれ配置固定されていることを特徴とする請求項３記載の表示板の保持枠。
【考案の詳細な説明】
【技術分野】
【０００１】
この考案は、メニュー、価格表、商品説明書、広告、案内書、写真、ポスターなどの表示板を入れて使用することができる表示板の保持枠に関するものである。
【背景技術】
【０００２】
表示板の保持枠として、例えば実公昭５０−２４３９０号公報に記載の「額縁」、特公平７−８７８１３号及び特許第２９４８７６５号公報にそれぞれ記載の「枠」並びに特開２００４−３５７９５３号公報に記載の「額縁」（以下「従来例１」、「従来例２」、「従来例３」及び「従来例４」という。）などが提案されている。
従来例１は、平面直角四辺形状の額縁の本体を形成する額縁主体の外端部上端に突出した回り対隅部を支点として、Ｖ字形の板ばねからなるばねに抗して０〜９０°の範囲で開き得る縁飾りを設けている。このため、縁飾りを額縁の各辺ごとに個々にその外端部の回り対隅部を支点としてばねに抗して開くようにしているので、額縁内への絵画の出し入れを縁飾りの開閉操作により極めて容易に行える。
従来例２及び従来例３は、４個の枠部材と、突き合わさせる枠部材の端部間を枢着状に連結する４個の隅連結部材とからなる。各枠部材に空間部を形成し、この空間部内に各隅連結部材の側部を押し込みことによって額枠が組み立てられる。各枠部材は、各隅連結部材の軸部を中心として外側に回動させることによって枠部材を開いて、被掲示物を枠部材の円弧状の中仕切りの上に乗せてから、軸部を中心として反対方向に回動させて、枠部材を閉じる。
従来例４は、４本の長尺状の枠材を連結部材によって略四角形状に枠組して構成されるものである。各枠材は、その内側に賞状、絵画などの周辺部を係止する係止空間と、その下側に載置部とを設け、この載置部の下側に挿入空間を形成している。挿入空間の内周面に形成している第１及び第２の嵌合凹部を設けてある。連結部材は、上記枠材の挿入空間内に挿入することができる係止突起部を備えている。係止突起には嵌合突起を突設し、嵌合突起の先端に嵌合部を形成し、この嵌合部が第１及び第２の嵌合凹部のいずれか一方に選択的に嵌合する。連結部材の係止突起部を挿入空間内に挿入している状態において、４本の枠材は略四角形状にかつ回動自在に枠組されている。各枠材を額縁の内周側に閉じた際には第１の嵌合凹部内に嵌合して閉じた状態の位置保持がされ、反対に各枠材を額縁の外側に回動した際には第２の嵌合凹部に嵌合部が嵌合して開いた状態の位置保持がされる。
【特許文献１】実公昭５０−２４３９０号公報
【特許文献２】特公平７−８７８１３号公報
【特許文献３】特許第２９４８７６５号公報
【特許文献４】特開２００４−３５７９５３号公報
【考案の開示】
【考案が解決しようとする課題】
【０００３】
従来例１は、額縁の前側から絵画の出し入れが簡易である利点があるが、ばね機構を用いることは、その取り付けやばね力の調整などに手間がかかる課題がある。
従来例２、従来例３及び従来例４は、従来例１と同様にフロントオープン方式であるから、写真などの表示板の交換が容易となる利点があるが、枠部材と隅連結部材（従来例４では枠材と連結部材）を枠組みする構成であるから構造が複雑となり、そして枠部材（従来例４では枠材）の開閉機構についても複雑なものとなり、作業性や製造のコストダウンを図るためには更なる改善の余地がある。
この考案の目的は、簡単な構成であってコストダウンに寄与する表示板の保持枠を提供することにある。
【課題を解決するための手段】
【０００４】
この考案の第１の特徴は、四角形状の台板と、この台板の各辺に対応しかつ台板の前面の周囲を覆う押え片と、各押え片と上記台板とを接続する折り曲げ可能である連結シートと、上記台板と押え片のいずれか一方に設けている磁石及び他方に設けてある磁性部材とを備えていることにある。上記各押え片は上記連結シートを中心として起伏することができると共に、上記台板の前面に配置される表示板を上記台板との間で挟みかつ保持することができるものである。上記磁石は、上記磁性部材との吸着力を介して上記各押え片に上記表示板に対する保持力を付与するものである。
この考案の第２の特徴は、第１の特徴を前提とし、磁石は磁石片からなり、磁性部材は上記磁石に対向して配置されている磁性部材片からなることにある。
この考案の第３の特徴は、第１又は第２の特徴を前提とし、台板は後台板部とこの後台板部の前面に重ねて配置した前台板部とからなり、押え片は本体とこの本体の前面に重ねて配置した飾り片とからなることにある。
この考案の第４の特徴は、第３の特徴を前提とし、磁石及び磁性部材は、いずれか一方が後台板部と前台板部との間に、他方が押え片の本体と飾り片との間に、それぞれ配置固定されていることにある。
【考案の効果】
【０００５】
この考案によれば、押え片を連結シートを中心として起伏させることにより保持枠の前側が開閉することができ、磁石の磁気力によって表示板を保持することができるから、構成が簡単でありコストダウンに寄与することができる。
【考案を実施するための最良の形態】
【０００６】
図１及び図２に示す表示板の保持枠Ｆは、台板１と、押え片２と、連結シート３と、磁石４と、この磁石の磁気力によって吸着される磁性部材５とを備えている。
【０００７】
図１〜図３に示す表示板の保持枠Ｆにおいて、台板１は平面四角形状に形成されている。台板１は、後台板部１１と、この後台板部の前面に重ねて固定されている前台板部１２とからなる二重構造である。前台板部１２は、後台板部１１より薄くかつひと回り小さく形成されているために、後台板部の前面外周に浅い段差が形成されている。
【０００８】
図１〜図３に示すように、押え片２は４枚の平面台形状の板片によって構成されている。押え片２は台板１の前面の周縁を覆って額縁を形成している。すなわち、押え片２において、図１に示すように短い押え片は台板１の上下両側の周縁を、長い押え片は台板の左右両側の周縁をそれぞれ覆っている。
押え片２は台板１と同様に二重構造となっており、本体２１の前面にこの本体の全面を覆うように飾り片２２を固定してある。
各押え片２は、台板１の前面に配置される表示板６の外周縁をその上方から台板の前面に向けて押さえて、表示板６を保持する役割を持つ。
【０００９】
図２〜図５に示すように、連結シート３は繊維性の材質からなり、折り曲げ可能なものである。連結シート３は各押え片２を台板１に接続すると共に、各押え片のヒンジの役割を持っている。
【００１０】
連結シート３、台板１及び各押え片２の相互の関係について図２、図３及び図５を参照して説明する。
連結シート３は、その一端側（図２内側）を台板１の後台板部１１と前台板部１２との間に差し入れて、前後の台板部間に固定されている。連結シート３の他端側は延伸されて押え片２の本体２１の芯材２３を被覆して、押え片の本体の一部を形成している。
このために、各押え片２は連結シート３を中心として回転可能であり、台板１の前側に倒す（閉じる）ことができ、反対に外側（後側）へ向けて起こす（開く）ことができる。
【００１１】
磁石４及び磁性部材５について説明する。
図１及び図２に示すように、磁石４及び磁性部材５はいずれも円板状の磁石片及び磁性部材片が用いられており、磁性部材にはスチール製の磁性部材片が使用されている。磁石４は、各押え片２内に所定間隔を置いて複数箇所（図１では３箇所）に配置されている。各磁石４は、各押え片２の本体２１と飾り片２２との間に挟まれ固定されている。また磁性部材５は台板１内にかつ磁石４の磁気力が及ぶ位置に配置され、図２では各押え片が台板１の前側に閉じた状態で磁石と対向する位置に設けられている。磁性部材５は、台板１の外周縁側の後台板部１１と前台板部１２との間に挟まれ固定されている。
【００１２】
磁石４及び磁性部材５と、台板１及び各押え片２との相互の関係について図１及び図２を参照して説明する。
各押え片２が台板１の前側に閉じた状態で磁石４は磁性部材５と対向しかつ接近することになる。このために、磁石４の磁気力が磁性部材５に及んで互いに吸着しようとする。この結果、磁石４は磁性部材５との吸着力を介して各押え片２を台板１の前面側に強く引っ張って、表示板６に対する押え片の保持力を付与するものである。
【００１３】
表示板６は用途に応じてその内容が特定され、この表示板には例えばメニュー、価格表、商品やサービスの説明書、広告、案内書、写真、ポスターなどが含まれる。表示板６の材質及び厚さは問わない。表示板６は、図１ではその前面が透明板からなるカバー７によって保護されている。カバー７の外周部が押え片２で保持され、このカバーを通じて表示板６が台板１と押え片２との間で保持される（図２）。
【００１４】
次に、表示板の保持枠Ｆの使用方法について説明する。
図１に示すように表示板の保持枠Ｆの台板１の前面にカバー７を通じて表示板６が各押え片２によって保持されている状態から、この表示板を取り出すには、磁石４と磁性部材５との吸着力に抗して連結シート３を中心として押え片２を図３に示すように外側へ開く。押え片２の開放操作により、カバー７の固定が解除されるから、まずカバーを保持枠の外へ取り出し、ついで表示板６を取り出す。
表示板６を保持枠Ｆに保持させるには、押え片２を図３に示すように外側へ開いておいてから、台板１の前台板部１２の前面に表示板を載せ、表示板の前側からカバー７を重ねて、表示板とカバーの位置調整をし、調整後に押え片をカバー側に閉じると、磁石４が台板１側の磁性部材５に接近し、磁石と磁性部材とが互いに吸引し合い、この結果押え片２はカバーの外周縁を押圧するので、表示板がカバーを通じて押え片と前台板部１２との間に挟まれ固定されている。
このように、押え片２を起伏（開閉）させて、表示板６を保持枠Ｆの前側から出し入れする。
【００１５】
図１に示す表示板の保持枠Ｆによれば、連結シート３を中心として押え片２を起伏させ、磁石４の磁気力によって表示板６を保持するので、従来例のようなばねや格別な開閉機構を必要としないので、構成が簡単であってコストダウンに寄与する。
図１に示す表示板の保持枠Ｆでは磁石４を磁石片とし、これに対向位置可能である磁性部材５を磁性部材片としているから、軽量化や薄形化を達成することができる。
押え片２は本体２１と飾り片２２の二重構造としているので、用途に応じて本体を共通にして飾り片のデザインを変更することができる。
台板１は後台板部１１と前台板部１２との二重構造として、押え片２は本体２１と飾り片２２の二重構造としているので、磁石４を本体と飾り片との間に、磁性部材５を後台板部と前台板部との間に、それぞれ取り付けることができ、その取付けが確実に行えると共に、外部から覆い隠すことができる。
【００１６】
台板１及び押え片２は二重構造とするものに限られない。磁性部材５はスチール製のものに限られず、磁石であっても良く、また磁石４を台板側に、磁性部材５を押え片２側に配置しても良い。
【図面の簡単な説明】
【００１７】
【図１】この考案に係る表示板の保持枠の使用状態を示す一部切欠正面図である。
【図２】図１のＩＩ−ＩＩ線拡大断面図である。
【図３】左右の押え片を図２に示す位置から外側に開いた状態を示す断面図である。
【図４】この考案に係る表示板の保持枠の使用状態を示す拡大底面図である。
【図５】この考案に係る表示板の保持枠を示す正面図であって、すべての押え片を外側に開いた状態を示す図である。
【符号の説明】
【００１８】
Ｆ                    保持枠
１                    台板
１１                  後台板部
１２                  前台板部
２                    押え片
２１                  本体
２２                  飾り片
３                    連結シート
４                    磁石
５                    磁性部材
６                    表示板
【図１】
0003121928.tif 000003
【図２】
0003121928.tif 000004
【図３】
0003121928.tif 000005
【図４】
0003121928.tif 000006
【図５】
0003121928.tif 000007